(57)【要約】【課題】硬質長を短縮して更なる小型化を実現することが可能な撮像装置を提供する。【解決手段】固体撮像素子と、前記固体撮像素子の接点に接続される配線パターンを備えた第１の可撓部によって、前記固体撮像素子と接続される第１の回路基板と、前記第１の回路基板に接続される配線パターンを備えた第２の可撓部によって、前記第１の回路基板と接続される第２の回路基板と、を具備する。【選択図】図１０
2007007429.tif 000002
【特許請求の範囲】
【請求項１】
固体撮像素子と、
前記固体撮像素子の接点に接続される配線パターンを備えた第１の可撓部によって、前記固体撮像素子と接続される第１の回路基板と、
前記第１の回路基板に接続される配線パターンを備えた第２の可撓部によって、前記第１の回路基板と接続される第２の回路基板と、
を具備したことを特徴とする撮像装置。
【請求項２】
前記第２の可撓部は、前記第１の回路基板に対して前記第１の可撓部とは反対側で前記第１の回路基板に接続されることを特徴とする請求項１に記載の撮像装置。
【請求項３】
前記第１の可撓部および前記第２の可撓部は樹脂材を基材として構成されたフレキシブル基板であることを特徴とする請求項１に記載の撮像装置。
【請求項４】
前記樹脂材はポリイミドにより構成されることを特徴とする請求項３に記載の撮像装置。
【請求項５】
前記第１の可撓部および前記第２の可撓部が屈曲された状態で、前記第１の回路基板および前記第２の回路基板が配置されることを特徴とする請求項１に記載の撮像装置。
【発明の詳細な説明】
【技術分野】
【０００１】
本発明は、内視鏡の挿入部先端部等に配設される小型の撮像装置に関する。
【背景技術】
【０００２】
近年、内視鏡挿入部の先端部内に対物光学系と固体撮像素子及び回路基板などを備えた撮像装置とを配設して、内視鏡観察像を電気的な画像信号として得る電子内視鏡が広く用いられている。このような内視鏡の挿入部先端部など小さなスペースに搭載される撮像装置は、小型化の要求が高く、できるだけ撮像面方向の面積が小さくこれと垂直方向の長さが短いものが望まれている。
【０００３】
電子内視鏡の挿入部先端部は、対物光学系及び撮像装置が内蔵されているため、これらによる硬質部が存在している。よって、撮像装置の長さが短くなるほど先端硬質部も短くでき、挿入時の患者に対する苦痛を軽減できる。
【０００４】
このような撮像装置の小型化技術については種々提案されており、例えば特開平７−１０８０３７号公報には、撮像装置に信号ケーブルを接続固定する構造を改良した構成例として、電子部品が実装された回路基板を固体撮像素子に対して垂直に配置して接続し、この回路基板の後端側に接続される信号ケーブルを機能が異なる２種類以上の接着剤を用いて接続固定したものが開示されている。
【０００５】
内視鏡の挿入部は、細径化が第一に優先されるため、撮像装置の撮像面方向の面積を小さくするために回路基板を固体撮像素子に対して垂直に設けるのが一般的である。よって撮像装置の更なる小型化を実現するには、回路基板の挿入部方向の長さを短くして硬質長を短縮することが望まれる。
【発明の開示】
【発明が解決しようとする課題】
【０００６】
従来の撮像装置の構成では、回路基板において電子部品を実装したり信号ケーブルを電気接続するためのスペースを確保するために、固体撮像素子に垂直に設けた回路基板を挿入部後方に延ばして必要な実装面積を得るようにしていた。しかしこのような構成では、回路基板が挿入部方向に長くなってしまい、撮像装置の硬質長短縮が困難であった。
【０００７】
本発明は、これらの事情に鑑みてなされたもので、硬質長を短縮して更なる小型化を実現することが可能な撮像装置を提供することを目的としている。
【課題を解決するための手段】
【０００８】
本発明の撮像装置は、固体撮像素子と、前記固体撮像素子の接点に接続される配線パターンを備えた第１の可撓部によって、前記固体撮像素子と接続される第１の回路基板と、前記第１の回路基板に接続される配線パターンを備えた第２の可撓部によって、前記第１の回路基板と接続される第２の回路基板と、を具備したことを特徴とする。
【発明の効果】
【０００９】
本発明によれば、硬質長を短縮して更なる小型化を実現することが可能な撮像装置を提供することができる。
【発明を実施するための最良の形態】
【００１０】
以下、図面を参照して本発明の実施の形態を説明する。
【００１１】
図１ないし図４は本発明の第１の実施形態に係り、図１は電子内視鏡の挿入部先端部に配設される撮像装置の構成を示す挿入部長手軸方向断面図、図２は電子内視鏡装置のシステム構成を示す構成説明図、図３は信号ケーブルユニット端部のケーブル口金の構成を示す斜視図、図４は信号ケーブルユニットと回路基板との接続部の構成を示す組立説明図である。
【００１２】
まず図２を参照して電子内視鏡装置の概略構成を説明する。電子内視鏡１は、被検部位へ挿入する細長の挿入部２と、挿入部２の基端部に連設され挿入部先端側の湾曲操作や送気送水操作、ビデオ信号の操作等を行うための把持部を兼ねた操作部３と、操作部３より延設されライトガイド等を内蔵したユニバーサルコード４と、ユニバーサルコード４の端部に設けられ照明光を供給する光源装置５に接続するためのコネクタ部６とを有して構成される。コネクタ部６の側部には接続ケーブル７が接続されて延出しており、この接続ケーブル７を介して信号処理装置８が接続されている。
【００１３】
光源装置５より出力される照明光はユニバーサルコード４、操作部３、挿入部２内を伝送されて挿入部先端より出射され、被検部位を照明する。被検部位の光学像は、電子内視鏡１の挿入部先端部に設けられた撮像装置によって光電変換されて電気的な画像信号となり、信号処理装置８に送られて各種信号処理が施され、ビデオ信号となって図示しないモニタ等で観察できるようになっている。
【００１４】
挿入部２の先端部９には硬質の先端構成部材が設けられ、この先端構成部材には図１に示すような撮像ユニット１０が取り付けられると共に、図示しない対物光学系、照明光学系、ライトガイド、処置具チャンネル、送気送水チャンネル、送気送水ノズルなどが取り付けられ、これらの構成要素が先端構成部材により保持固定されている。
【００１５】
操作部３には、吸引ボタン１１，送気送水ボタン１２，及び電気スイッチからなる操作スイッチ１３が設けられている。操作スイッチ１３の取付け位置は後述するように術者の好みによって変更可能となっている。
【００１６】
図１を基に本実施形態の撮像ユニット１０の構成について説明する。
【００１７】
レンズ枠１４には、図中左側延長部分に図示しない対物レンズ群が収納され、これらの対物光学系を保持している。レンズ枠１４の後端部には、略円柱状に形成された光軸調整レンズ１５が取り付けられ、光軸調整レンズ１５の反対側の面には固体撮像素子１６の受光面１７が接着されて取り付けられている。光軸調整レンズ１５は、受光面１７を完全に覆うことができる大きさに形成され、部材加工などにより起こる光軸のずれを補正するため、固体撮像素子１６の受光面１７側に設けられたボンディングパッド１８を覆わないように受光面１７上で位置決めされて接着される。
【００１８】
挿入部２の先端部９へ入射した被写体像の光線は、光軸が挿入部長手方向に設けられた対物レンズ群で集光され、光軸調整レンズ１５を通って固体撮像素子１６の受光面１７に結像されて受光され、受光部１９において光電変換されて電気信号に変換される。
【００１９】
固体撮像素子１６の背面側には、回路基板２０が当接して設けられ、固体撮像素子１６と回路基板２０とがフレキシブル基板２１によって電気的に接続されている。フレキシブル基板２１は、例えば屈曲自在なポリイミド基材２２の片面に銅などの配線パターン２３を形成したＴＡＢ（Tape Automated Bonding）テープで構成されており、配線パターン２３の両端がバンプ２４を介して固体撮像素子１６のボンディングパッド１８と回路基板２０の端子部にそれぞれ電気接続されている。そして、この電気接続部は封止剤２５で覆われて保護されている。
【００２０】
なお、固体撮像素子１６と回路基板２０とは、互いに面接触して配設された構成に限らず、接着等によって固定しても良いし、接触面上で電気的に接続しても良い。接触面上で電気的に接続する構成の場合、バンプを封止する封止剤やリードフレームなどを設けずに済むため、これらがない分撮像ユニットを小型化することができる。
【００２１】
本実施形態の撮像ユニットに設けられる回路基板２０は、固体撮像素子１６に対して平行な平行基板部２０ａと垂直な垂直基板部２０ｂとを有した略Ｌ字状の形状に形成されている。回路基板２０における平行基板部２０ａの固体撮像素子１６と反対側の面には、信号ケーブルユニット２６が異方性導電シート２７を介して電気的に導通接続されている。また、回路基板２０における垂直基板部２０ｂの信号ケーブルユニット２６とは反対側の面には、電子部品２８が実装されている。
【００２２】
信号ケーブルユニット２６の構成を図１，図３及び図４を基に説明する。信号ケーブルユニット２６は、複数の信号線を束ねた信号ケーブル２９の端部に円管状のケーブル口金３０が装着されて構成されている。ケーブル口金３０の一端には平板状に突出した接合部３１が設けられており、他方の貫通孔端部の内面には斜めに面取りされた面取り部３０ａが形成されている。
【００２３】
信号ケーブル２９は、絶縁体付きの同軸線からなる複数の信号線３２が束ねられた外周が総合シールド３３で覆われ、さらにその外周が総合シース３４で覆われて構成されている。この信号ケーブル２９は保護チューブ３５に挿入されて外周が被覆され、先端側の総合シース３４及び総合シールド３３が図４に示すようにストリップされてケーブル口金３０に嵌入される。なお、総合シールド３３の内周側に図３に示すように絶縁シース３６が設けられていても良い。このとき、ケーブル口金３０の接合部３１を信号ケーブル２９の先端側になるように両者を係合させ、ケーブル口金３０と絶縁シース３６または信号線３２と絶縁シース３６の隙間に接着剤３７を充填させ硬化させる。そして、ケーブル口金３０の接合部３１と信号ケーブル２９の先端面とが略同一面になるように、信号ケーブルユニット２６の挿入部先端側の面を研磨する。
【００２４】
このように構成された信号ケーブルユニット２６は、先端面の接合部３１において異方性導電シート２７を介して回路基板２０と電気的に接続され、接着剤によって固定される。また、信号ケーブルユニット２６において、信号ケーブル２９の内部にある総合シールド３３は前記面取り部３０ａにてケーブル口金３０と接触して電気的に導通している。
【００２５】
なお、ケーブル口金３０は、四角柱と円柱とを組み合わせて一体化したものに限らず、図５に示すように四角柱状の部材に円管状の貫通孔を設けて構成したケーブル口金４２を用いても良い。この場合、加工性が向上するため、部品コストを低減できる。また、ケーブル口金４２の端面及び側面は回路基板２０よりはみ出さないレベルでできるだけ広い面積を確保することにより、信号ケーブル２９のねじれによる応力に対する耐性を向上できる。
【００２６】
固体撮像素子１６及び回路基板２０の外周部には、円筒状のシールド用金属体３８が設けられ、先端側がレンズ枠１４に保持固定されている。シールド用金属体３８は、回路基板２０の垂直基板部２０ｂ後端までの長さを有し、固体撮像素子１６及び回路基板２０上の電子部品２８を覆って遮蔽している。また、ケーブル口金３０の外周面とシールド用金属体３８との間には導電性接着剤３９が設けられ、導電性接着剤３９を介して電気的な導通が確保されている。
【００２７】
シールド用金属体３８及び信号ケーブル２９の先端側は、電気絶縁性収縮チューブ４０で被覆されており、この電気絶縁性収縮チューブ４０によって撮像ユニット１０全体が保護されている。前記信号ケーブル２９を被覆している保護チューブ３５は、回路基板２０の垂直基板部２０ｂ後端面と電気絶縁性収縮チューブ４０後端面との間で固定糸４１によって糸しばりされて固定されている。また、シールド用金属体３８及び電気絶縁性収縮チューブ４０によって囲まれた内部空間には、接着剤３７が充填されている。
【００２８】
本実施形態の撮像ユニット１０では、回路基板２０は固体撮像素子１６に対して平行な平行基板部２０ａと固体撮像素子１６に対して垂直な垂直基板部２０ｂとを有する略Ｌ字形状の基板で構成され、平行基板部２０ａの背面に信号ケーブルユニット２６を電気的に接続し、この平行基板部２０ａに実装できなかった電子部品２８を垂直基板部２０ｂに実装するような構造となっている。すなわち、電子部品の実装部や信号ケーブルの接続部は固体撮像素子に対して平行な平行基板部にできるだけ設け、実装面積が足りない場合のみ固体撮像素子に対して垂直な垂直基板部を挿入部後方へ延設して電子部品の実装または信号ケーブルの電気接続を行うようにしている。
【００２９】
この構成により、固体撮像素子１６と垂直な垂直基板部２０ｂを挿入部長手方向に必要以上延ばす必要がなく、実装面積を変更することなく撮像装置の長さを短縮でき、この結果挿入部先端部の硬質長を短縮することができる。また、信号ケーブルユニット２６のケーブル口金３０は回路基板２０の垂直基板部２０ｂの側部に配設されて平行基板部２０ａに接着固定されているため、信号ケーブルユニット２６の電気接続部において信号ケーブル２９の煽りに対する耐性を向上させることができる。
【００３０】
ここで、電子内視鏡１の操作部３に設けられる取付け位置を変更可能な操作スイッチ１３の構成例を示す。図６及び図７は操作スイッチの第１の構成例を示したものであり、図６は操作部の斜視図、図７は図６のＡ部における断面図である。
【００３１】
操作スイッチ１３の取付部分には溝５１が設けられ、操作スイッチ１３はこの溝５１に沿って移動でき、術者の好みによって位置変更が可能である。操作スイッチ１３の電気スイッチ５２は、スイッチボックス５３内に挿入され、バネやゴムなどの弾性を有する部材からなるスペーサ５４の中を挿通して座金５５とスペーサ５４とでスイッチボックス５３を挟み込んだ状態として、端部をナット５６によって締め付けて押さえることによりスイッチボックス５３に対して移動可能に固定されている。
【００３２】
電気スイッチ５２より延出したスイッチ用電線５７は、操作部３，ユニバーサルコード４内を挿通され、接続ケーブル７を介して信号処理装置８に電気的に接続されている。操作スイッチ１３を押圧操作することによって、電気スイッチ５２からスイッチ用電線５７を経て信号処理装置８に至る電気回路が閉回路となり、電子内視鏡１を用いて信号処理装置８の遠距離操作を行うことができる。
【００３３】
操作部３のスイッチボックス５３の外周には、溝５１から水蒸気や薬液等が電子内視鏡内部へ侵入しないように、ゴム等からなる水密用部材５８が設けられ、電気スイッチ５２及び溝５１を完全に覆うようになっており、電子内視鏡の内外の水密が保たれている。なお、図６は水密用部材５８を取り除いた状態を示している。
【００３４】
このように、操作スイッチの取付け位置を変更可能に設けることにより、術者の好みによって操作スイッチの位置を設定することができ、操作性の優れた操作部を提供することができる。
【００３５】
図８は操作スイッチの第２の構成例を示した操作部の斜視図である。第２の構成例は、第１の構成例の溝５１の代わりに十字溝５９を設けたものである。なお、図８は水密用部材５８を取り除いた状態を示している。このように溝を十字溝に形状変更することにより、２方向に移動可能であるので電気スイッチ５２の位置決めの自由度が増し、微妙な位置決めが可能となるため、より最適な状態となるよう術者の好みによって位置変更することができる。
【００３６】
図９は操作スイッチの第３の構成例を示した操作部の斜視図である。第３の構成例は、スイッチボックス５３に電気スイッチを内蔵した大型の押圧部分を有するスイッチ本体６０が設けられ、このスイッチ本体６０の上にスイッチカバー６１を被せるような構造となっている。スイッチカバー６１は、スイッチカバー本体６２に小突起６３が突設されて構成されており、例えばスイッチカバー本体６２に対し小突起６３の位置が異なるものを複数用意しておき、術者の好みに応じた小突起６３の位置のスイッチカバー６１を選択できるようになっている。このようなスイッチカバー６１をスイッチ本体６０にはめ合わせて使用する。
【００３７】
スイッチカバー６１の小突起６３を押すと機械的にスイッチ本体６０が押されて内部の電気スイッチがオンする。これにより、スイッチ本体６０からスイッチ用電線５７を経て信号処理装置８に至る電気回路が閉回路となり、電気内視鏡１を用いて信号処理装置８を遠距離操作することができる。
【００３８】
なお、第３の構成例のスイッチボックス５３は、スイッチカバー６１を取り付けなくても水蒸気や薬液等が電子内視鏡内部へ浸入しないように、スイッチ本体６０の周囲には図示しない水密用の充填剤が注入されて水密が保たれている。
【００３９】
このように小突起の位置が異なるスイッチカバーを複数用意して術者の好みに応じて交換することにより、操作スイッチの位置をより簡単に設定することができる。
【００４０】
以上の操作スイッチの各構成例によれば、術者の好みによって操作スイッチの位置を容易に移動させて設定することができ、操作性を向上させることが可能となる。
【００４１】
図１０及び図１１は本発明の第２の実施形態に係り、図１０は撮像装置の構成を示す挿入部長手軸方向断面図、図１１は回路基板の組み立て構成を示す構成説明図である。
【００４２】
第２の実施形態の撮像ユニット７０は、図１に示した第１の実施形態における回路基板の構成を変更した構成例である。また、シールド用金属体及び電気絶縁性収縮チューブの代わりに導電性と絶縁性の２層の収縮チューブで被覆した構成となっている。
【００４３】
固体撮像素子１６の後方に設けられる回路基板７１は、固体撮像素子１６に対して平行な第一回路基板７１ａと垂直な第二回路基板７１ｂとにより構成され、これらの基板がフレキシブル基板２１で接続されている。フレキシブル基板２１は、例えば屈曲自在なポリイミド基材２２の片面に銅などの配線パターン２３を形成したＴＡＢテープで構成されている。
【００４４】
第一回路基板７１ａの一端の片面には溝部７２が設けられ、この溝部７２と第二回路基板７１ｂとはバンプ２４を介してフレキシブル基板２１によって電気的に接続されている。そして、この電気接続部は封止剤２５によって硬化されて保護されている。
【００４５】
このように構成した回路基板７１の第一回路基板７１ａと固体撮像素子１６とを第１の実施形態と同様にフレキシブル基板２１によって電気的に接続した後、第一回路基板７１ａの溝部７２が設けられている面と固体撮像素子１６の背面とを面接触させて固定する。その後、第一回路基板７１ａと第二回路基板７１ｂを接続しているフレキシブル基板２１を曲げて、第一回路基板７１ａの背面７３と第二回路基板７１ｂの端面７４とを面接触させて固定することにより、図１０に示すようにＬ字形状の回路基板を構成できる。
【００４６】
なお、第一回路基板７１ａに設けた溝部７２の深さは、封止剤２５が固体撮像素子１６の背面に接しない程度に形成されている。また、第一回路基板７１ａと第二回路基板７１ｂとの接続は、フレキシブル基板の代わりにワイヤボンディングを用いて電気接続しても良い。
【００４７】
固体撮像素子１６及び回路基板７１の外周部は、レンズ枠１４から固体撮像素子１６，電子部品２８，信号ケーブル２９の先端部までを覆うように電気導電性収縮チューブ７５で被覆され、電気導電性収縮チューブ７５がこれらの部材に密着している。また、信号ケーブル２９の総合シールド３３とケーブル口金３０とは第１の実施形態と同様に面取り部で接触して電気的に導通しており、さらにケーブル口金３０の外周面と電気導電性収縮チューブ７５とが面接触して、信号ケーブル２９の総合シールド３３及びケーブル口金３０と電気導電性収縮チューブ７５との電気的な導通が確保されている。
【００４８】
また、電気導電性収縮チューブ７５とは電気的に絶縁すべき部材、例えばフレキシブル基板２１と電気導電性収縮チューブ７５との間の空間などには、接着剤３７が充填されて電気的に絶縁されている。
【００４９】
さらに、電気導電性収縮チューブ７５の外周は、電気絶縁性収縮チューブ７６が密着して被覆されており、この電気絶縁性収縮チューブ７６によって撮像ユニット７０全体が保護されている。
【００５０】
前記電気導電性収縮チューブ７５と電気絶縁性収縮チューブ７６は、熱収縮特性または弾性収縮特性を有する収縮チューブによって構成されている。なお、電気導電性収縮チューブ７５と電気絶縁性収縮チューブ７６は、導電性と絶縁性の２層のチューブが一体構造になった収縮チューブを用いても良い。
【００５１】
その他の部分は図１に示した第１の実施形態と同様に構成されており、説明を省略する。
【００５２】
第２の実施形態では、溝部を設けた第一回路基板７１ａと第二回路基板７１ｂとをフレキシブル基板２１で電気接続し、フレキシブル基板２１を折り曲げることによってＬ字状の回路基板を形成している。この構成によれば、現在可能な技術を用いて比較的容易にＬ字状の回路基板を構成できるため、加工性が良好であり、回路基板の組立時の手間や加工コストを低減することができる。従って、第１の実施形態の効果に加えて、より安価かつ容易に回路基板を構成でき、より簡易な構成で硬質長を短縮した撮像装置を提供することができる。
【００５３】
また、電気導電性収縮チューブ７５によって固体撮像素子１６及び回路基板７１の外周部が覆われ、内部の固体撮像素子１６や電子部品２８などが外部からの電気ノイズより遮蔽されている。このように撮像ユニットの外周を電気導電性収縮チューブ７５で覆って遮蔽することにより、第１の実施形態のように固体撮像素子１６や電子部品２８などを電気的に遮蔽するためのシールド用金属体を設ける必要がなく、撮像装置の耐電気ノイズ性を保ちつつ撮像装置の外径を細くすることができる。従って、撮像装置の径方向の寸法を大きくすることなく、外部からの耐電気ノイズ性に優れた撮像装置を提供できる。
【００５４】
図１２は本発明の第３の実施形態に係る撮像装置の構成を示す側面図である。図１２では、固体撮像素子１６，回路基板２０，電子部品２８及び７８，信号ケーブル７７の位置関係のみを示している。
【００５５】
第３の実施形態の信号ケーブル７７は、１本の同軸ケーブルまたは複数の同軸ケーブルが平行に設けられたフラットケーブル等で構成されており、回路基板２０の垂直基板部において電子部品２８と反対側の面に電気接続されている。また、電子部品２８に加えて他の電子部品７８が設けられ、回路基板２０の水平基板部に実装されている。
【００５６】
なお、回路基板２０は、第２の実施形態のように２つ以上の硬性基板を電気接続して水平基板部と垂直基板部を有するように形成したものを用いても良い。
【００５７】
また、第３の実施形態の変形例として、固体撮像素子１６と回路基板２０をフレキシブル基板を介して電気接続する構成に代えて、図１３に示すように、固体撮像素子１６の背面にリード７９が延設されたものを使用し、このリード７９を回路基板２０に直接電気的に接続する構成としても良い。
【００５８】
このように、固体撮像素子に平行な平行基板部と垂直な垂直基板部とを設け、水平基板部にも電子部品を実装して垂直基板部の電子部品実装部とは反対側の面に信号ケーブルを電気接続した第３の実施形態の構成においても、第１の実施形態と同様に、回路基板の実装面積を減少させずに、回路基板の挿入部長手方向の長さを短縮でき、撮像装置の硬質長を短縮することができる。
【００５９】
図１４は本発明の第４の実施形態に係る撮像装置の構成を示す側面図である。第４の実施形態は、第３の実施形態の回路基板の形状を一部変更した構成例である。
【００６０】
第４の実施形態の回路基板８０は、固体撮像素子１６に対して平行な平行基板部が固体撮像素子１６の背面と略同一形状に形成され、この平行基板部より固体撮像素子１６に対して垂直な垂直基板部が延出した構造となっている。その他の部分は図１２に示した第３の実施形態と同様に構成されており、説明を省略する。
【００６１】
第４の実施形態の構成では、第３の実施形態に比べて回路基板８０と固体撮像素子１６との接触面積が広がるので、回路基板８０の位置決めや回路基板８０の固定作業が容易となり、第３の実施形態の効果に加えて、より組立作業性を向上させることができる。
【００６２】
［付記］
（１）  前記回路基板は、２つ以上の硬性基板をＴＡＢテープ等のフレキシブル基板によって電気的に接続したものであることを特徴とする請求項１に記載の撮像装置。
【００６３】
（２）  前記平行基板部または前記垂直基板部の少なくとも一方の基板に電子部品を実装したことを特徴とする請求項１に記載の撮像装置。
【図面の簡単な説明】
【００６４】
【図１】本発明の第１の実施形態に係る電子内視鏡の挿入部先端部に配設される撮像装置の構成を示す挿入部長手軸方向断面図
【図２】電子内視鏡装置のシステム構成を示す構成説明図
【図３】信号ケーブルユニット端部のケーブル口金の構成を示す斜視図
【図４】信号ケーブルユニットと回路基板との接続部の構成を示す組立説明図
【図５】ケーブル口金の変形例の構成を示す斜視図
【図６】操作スイッチの第１の構成例を示した操作部の斜視図
【図７】図６のＡ部における断面図
【図８】操作スイッチの第２の構成例を示した操作部の斜視図
【図９】操作スイッチの第３の構成例を示した操作部の斜視図
【図１０】本発明の第２の実施形態に係る撮像装置の構成を示す挿入部長手軸方向断面図
【図１１】第２の実施形態に係る回路基板の組み立て構成を示す構成説明図
【図１２】本発明の第３の実施形態に係る撮像装置の構成を示す側面図
【図１３】第３の実施形態の変形例の構成を示す側面図
【図１４】本発明の第４の実施形態に係る撮像装置の構成を示す側面図
【符号の説明】
【００６５】
１０…撮像ユニット
１４…レンズ枠
１６…固体撮像素子
２０…回路基板
２０ａ…平行基板部
２０ｂ…垂直基板部
２１…フレキシブル基板
２６…信号ケーブルユニット
２８…電子部品
２９…信号ケーブル
３０…ケーブル口金
３８…シールド用金属体
４０…電気絶縁性収縮チューブ
【図１】
2007007429.tif 000003
【図２】
2007007429.tif 000004
【図３】
2007007429.tif 000005
【図４】
2007007429.tif 000006
【図５】
2007007429.tif 000007
【図６】
2007007429.tif 000008
【図７】
2007007429.tif 000009
【図８】
2007007429.tif 000010
【図９】
2007007429.tif 000011
【図１０】
2007007429.tif 000012
【図１１】
2007007429.tif 000013
【図１２】
2007007429.tif 000014
【図１３】
2007007429.tif 000015
【図１４】
2007007429.tif 000016